(57)【特許請求の範囲】
【請求項１】
多数の経路を通じて入力されるパケットデータを監視して通過条件に満足されるパケットデータのみを伝送する多数の監察部と、前記監察部を通過したパケットデータを入力順序的に伝送するパケットスケジューラと、前記パケットスケジューラによって選択されたパケットデータを多重化して一つの伝送経路を通じて受信側に伝送する多重化機とから構成された構造におけるトラフィック制御方法において、
ＭＣ技法を利用してそれぞれの経路を通じて入力されるパケットデータの平均伝送率を監察部から監視する第１段階と、
前記監視の結果に基づいて、パケットデータがＭＣ技法の通過条件に満足されるかを判断する第２段階と、
前記パケットデータがＭＣ技法の通過条件に満足される場合、各経路のパケットデータをパケットスケジューラに伝送してＦＩＦＯ方式のパケットスケジューラによって多重化順序を決定する第３段階と、
前記パケットデータがＭＣ技法の通過条件に満足されない場合、任意の貯蔵場所に当該パケットデータを貯蔵しかつ当該パケットデータにタグを付着して次のウィンドーから再次伝送を試図するようにするとか貯蔵場所に余裕のない場合にはパケットデータを捨てる第４段階と、
前記第３段階のＦＩＦＯ方式によるパケットスケジューリング遂行時に該当経路のパケットデータが現在サービスされることができるかを判断する第５段階と、
前記第５段階から該当経路のパケットデータが現在サービスされることができる場合にパケットデータを入力順序的に多重化機に伝送し、現在サービスされることができず場合に前記第３段階に復帰してＦＩＦＯ方式によるパケットスケジューリングを再遂行するようにする第６段階と、
からなり、
前記多数の経路を通じて入力される前記パケットデータをＭＣ技法を利用して前記多数の監察部から監視することにより、ＭＣ技法を利用した監察機能とＦＩＦＯ方式を利用したパケットスケジューリング機能とを通じて各種トラフィックデータの特性に合わせて伝送経路を制御することによって予想型サービスを制御する
ことを特徴とする予想型サービスを提供するためのトラフィック制御方法。
【請求項２】
多数の経路を通じて入力されるパケットデータを監視して通過条件に満足されるパケットデータのみを伝送する多数の監察部と、前記監察部を通過したパケットデータを既に決定されたサービス時間による優先順位により伝送するパケットスケジューラと、前記パケットスケジューラによって伝送されるパケットデータを多重化して一つの伝送経路を通じて受信側に伝送する多重化機とから構成された構造におけるトラフィック制御方法において、
ＭＣ技法を利用してそれぞれの経路を通じて入力されるパケットデータの平均伝送率を監察部から監視する第１段階と、
前記監視の結果に基づいて、パケットデータがＭＣ技法の通過条件に満足されるかを判断する第２段階と、
前記パケットデータがＭＣ技法の通過条件に満足される場合、各経路のパケットデータをパケットスケジューラに伝送してＷＦＱ方式によるパケットスケジューリングを遂行する第３段階と、
前記パケットデータがＭＣ技法の通過条件に満足されない場合、任意の貯蔵場所に当該パケットデータを貯蔵しかつ当該パケットデータにタグを付着して次のウィンドーから再次伝送を試図するようにするとか貯蔵場所に余裕のない場合にはパケットデータを捨てる第４段階と、
前記第３段階のＷＦＱ方式によるパケットスケジューリング遂行時に各入力経路に賦課されたウェイト条件によりパケットデータが現在サービスされることができるかを判断する第５段階と、
前記第５段階からパケットスケジューラに伝送されるパケットデータが現在サービスされることができる場合にパケットデータを多重化機に伝送し、現在サービスされることができない場合に前記第３段階に復帰してＷＦＱ方式によるパケットスケジューリングを再遂行するようにする第６段階と、
からなり、
前記多数の経路を通じて入力される前記パケットデータをＭＣ技法を利用して前記多数の監察部から監視することにより、ＭＣ技法を利用した監察機能とＷＦＱ方式を利用したパケットスケジューリング機能とを通じて各種トラフィックデータの特性に合わせて伝送経路を制御することによって保障型サービスを制御する
ことを特徴とする保障型サービスを提供するためのトラフィック制御方法。
【発明の詳細な説明】
【０００１】
【発明の属する技術分野】
本発明は、ＡＴＭ、ＰＳＴＮ、ＩＭＴ−２０００等の各種通信システムの交換機に広範囲に適用することができる予想型／保障型サービスを提供するためのトラフィック制御方法に関するもので、特にＭＣ（Moving Ceiling）技法を利用した監察機能とＦＩＦＯ（First In First Out）またはＷＦＱ（Weighted Fair Queueing）方式を利用したパケットスケジューリング機能を通じて各種トラフィックデータの特性に合わせて伝送経路を制御することによってＱＯＳ（Quality Of Service）保障に余裕のある予想型サービスまたは保障型サービスを効果的に制御することができるようにしたものである。
【０００２】
【従来の技術】
一般的に、通信システムから送受信されるマルチメディアトラフィックは単純データのみならず、制御信号やシグナリングデータ等のような実時間性と生存性を同時に要求するトラフィックであるとか画像や音声のようなマルチメディアトラフィックまで包含されている。
【０００３】
このようなすべてのトラフィックは混合されて一つの物理的な伝送路を通じて伝送されるので、何よりそれぞれのトラフィックを区分してトラフィックの特性に適合に伝送してやることができる技術が必要である。
【０００４】
即ち、マルチメディアトラフィックに対してお互に異なるＱＯＳを要求するので、これらを効果的に支援するためにはトラフィックの特性に適合に伝送経路を制御してトラフィックを伝送してやらなければならない。
【０００５】
前記マルチメディアトラフィックはＱＯＳ要求に対する満足度により保障型サービス（Guaranteed Service）と予想型サービス（Predictive Service）そして最善型サービス（Best-Effort Service ）と分類することができる。
【０００６】
ここで、保障型サービスはＱＯＳを１００％満足させてやらなければならない場合にリアルタイム性であり、データが損失されてはならないコントロール関連データがここに該当され、予想型サービスは一部データの損失や時間遅延があっても復旧可能な場合としてオーディオやビデオトラフィックがここに該当され、最善型サービスはＱＯＳに対する保障を受けないままに残存する帯域幅を通じて伝送を試図する場合を指称する。
【０００７】
前記保障型サービスは願うＱＯＳを完璧に満足させることを要求するので、これを保障してやるためには支援機能の性能に対してワーストケース分析（worst-case analysis ）をしなければならないし、その計算によって求められた程の充分な資源を割当してやらなければならない。
【０００８】
このとき、ワーストケース分析とは、トラフィックが一時に集合される場合を仮定して計算する場合で、各トラフィックがピック率（pick rate ）に集中される場合を考慮したものである。
【０００９】
前記予想型サービスはＱＯＳ保障とともに資源の効率的な利用まで考慮しなければならない。即ち、たくさんの資源を消耗しながら完璧にＱＯＳを保障してやることより小さい資源を効率的に利用しながら必要な程のＱＯＳを保障してやることが必要である。
【００１０】
一方、前記のような予想型サービスや保障型サービスを支援してやるためにはネットワークの中間ノードから多機能を遂行してやらなければならないが、その機能としてはルーティング（routing ）機能、資源予約（resource reservation）機能、呼受諾制御（call admission control）機能、パケットスケジューリング（Packet Scheduling ）機能、監察（policing）機能があり、この中でルーティング機能と資源予約機能および呼受諾制御機能は呼が設定される前の段階から必要な機能であり、パケットスケジューリング機能と監察機能は呼が設定された以後に実際パケットデータが伝送される間に適用される機能である。
【００１１】
前記パケットスケジューリング機能は、パケット単位に動作して次に伝送するパケットがどの入力経路にいることであるかを決定し、他の入力経路に対しては伝送するパケットがあっても防止することができる機能によってパケット−水準孤立（packet-level isolation）を支援する。
【００１２】
ここで、監察機能は、各経路に対してトラフィック技術者に記述された特性のとおりに伝送されているかを監視し、これを違反する経路に対しては適切にパケットを捨てるように措置を取る機能である。
【００１３】
このような監察機能を通じては主に最大伝送率（パケット間の間隔の逆）と平均伝送率（一定期間の間に平均的に伝送されるパケット数）を監視し、平均伝送率を監視する場合には一定期間の間の監視の中で違反可否を判断するので、呼の水準孤立（call level isolation）を支援する。
【００１４】
ここで呼の水準孤立とは、一つの経路伝送率が一時的に増加しても他の経路の平均伝送率が低下されない場合を指称するもので、他の経路を通過するパケットの量とかそのパターンに影響を受けず、専ら自分の経路を通じたパケットの量とかパターンによってのみＱＯＳが影響を受ける場合を意味する。
【００１５】
従来先行技術として日本国から１９９４年８月３０日付に出願されているセルトラフィック制御回路および方法（特開平８−７９２５１号公報）は、図１に図示のように、入力回線上のセルの倒着および倒着セルの種類および該当セル中に表示されたフレーム識別者を検出するセル検出部１２と、出力回線上を伝送中である前フレーム数ｎおよび帯域管理単位ｗ毎に回路上を伝送中であるフレーム数ｍを計数するトラフィック観測部１６と、規正最大フレーム数を超過してフレームが入力された場合、該当フレームを構成するセルをフレーム単位に蓄積する複数面のフレームバッファーとなったフレームバッファー部１４と、前記フレームバッファー１４の空のフレームバッファーを管理する空のフレームバッファー管理部１５と、倒着セルを前記フレームバッファー部１４に蓄積するとか、または前記出力回線上に伝送するとかを判断するフレーム伝送制御部１３を具備し、前記フレーム伝送制御部１３はフレームバッファー部１４に蓄積中であるフレームが存在する帯域管理単位ｗの値を有するフレーム蓄積中の登録テーブル１３ａをもち、前記セル検出部１２から検出した倒着セルが所属された帯域管理単位が前記フレーム蓄積中の登録テーブル１３ａに登録中である場合には該当セルを前記フレームバッファー部１４に蓄積し登録中でない場合には該当倒着セルが情報フレームを構成する中間セル、または最終セルであると出力回線に伝送し先頭セルまたは単独セルであると所定の判定法により該当セルを前記出力回線に伝送することであるか、またはフレームバッファー部１４に蓄積することであるかを決定するように構成されている。
【００１６】
このような構成におけるセルトラフィックの制御方法は、回線上を伝送可能なトラフィックを同時に伝送可能な最大フレーム数Ｎとして規制し、前記回線上を伝送中であるフレーム数ｎを計数する手段と、前記規正された最大フレーム数を超過してフレームが入力される場合に該当フレームを構成するセルを蓄積するバッファーをもち、セルが有効セルであり、情報フレームを構成する先頭セルまたは単独セルである場合に、セル倒着時点からｎ＜Ｎの場合には該当セルと同一フレームに属する一連のセルを出力回線上に伝送し、ｎ＝Ｎである場合には該当セルと同一フレームに属する一連のセルをフレームを識別しながら前記バッファーに蓄積し、前記バッファーに蓄積されたフレームに対して、入力セルが空のセル等の無効セルであるか、または入力セルを前記バッファーに蓄積して前記出力回線にセルが伝送されない場合にはｎ≦Ｎの範囲から前記バッファー部から読んできて回線上に伝送することによって出力回線上のセルトラフィックを規正値以内に制御するようにした。
【００１７】
【発明が解決しようとする課題】
このような従来技術においては可能なら賦課された伝送帯域幅（平均伝送率）の条件下からどの位いのたくさんのフレームを送ることができるかに対するもので、パケットを捨てなければならない状況であると、既に通過が一部進行されたフレームのものを捨てる代わりに、未だにも通過が進行されないフレームのものを捨てるようにしたもので、監察（Policing）機能自体に対するものである。
【００１８】
したがって、このような従来技術においては以前トラフィックがたくさんに入って来るとか、少なく入って来た場合をすべて勘案して次のウィンドーから反映するようにしたことではなく、但只以前トラフィックがたくさんに入って来た場合にのみ局限されるもので、以前トラフィックが少なく入って来た場合は勘案しないものであった。
【００１９】
また、従来技術においてはパケットレベルの制御ではなく、フレームレベルの効果的な伝送を遂行するために既存のパケットレベルの監察機能にのみ局限された短所があった。
【００２０】
本発明は前記のような従来技術の短所を解決するためのもので、本発明の目的は、監察機能とパケットスケジューリング機能を利用してＱＯＳを保障してやるようにしたものである。
【００２１】
即ち、本発明は呼が適当量の資源の割当を受けたと仮定した状態からＭＣ技法を利用した監察機能とＦＩＦＯを利用したパケットスケジューリング機能を通じて各種トラフィックデータの伝送経路を制御することによって予想型サービスを効果的に制御する予想型サービスを提供するためのトラフィック制御方法を提供することにある。
【００２２】
また、本発明の他の目的は、呼が充分な資源をもち設定されてあると仮定した状態でＭＣ技法を利用した監察機能とＷＦＱ方式を利用したパケットスケジューリング機能を通じて各種トラフィックデータの伝送経路を制御することによって保障型サービスを効果的に制御する保障型サービスを提供するためのトラフィック制御方法を提供することにある。
【００２３】
【課題を解決するための手段】
このような目的を達成するための本発明の予想型サービスを提供するためのトラフィック制御方法は、ＭＣ技法を利用して各経路を通じて入力されるパケットデータの平均伝送率を監視し、この監視結果、パケットデータがＭＣ技法の通過条件に満足されるかを判断して通過条件に満足される場合に監察部の出力バッファーに貯蔵して置き、通過条件に満足されない場合に任意の貯蔵場所に空の空間があるとその所に貯蔵し空の空間がないと捨てるようにし、以後ＦＩＦＯ方式のスケジューラによって各経路の出力バッファーを検索して一番早速に入力されたパケットデータから一つずつ通過させて多重化した次の一つの伝送経路を通じて受信側に伝送するようにすることを特徴とする。
【００２４】
また、本発明の保障型サービスを提供するためのトラフィック制御方法は、ＭＣ技法を利用して各経路を通じて入力されるパケットデータの平均伝送率を監視し、この監視結果、パケットデータがＭＣ技法の通過条件に満足されるかを判断して通過条件に満足される場合には各経路のパケットデータをＷＦＱ方式によるパケットスケジューリングを遂行し、通過条件に満足されない場合には任意の貯蔵場所に臨時貯蔵するとかパケットデータを捨てるようにし、以後前記ＷＦＱ方式から各入力経路に賦課されたウェイト条件によりパケットが現在サービスされることができるかを判断して、現在サービスされることができる場合であるとパケットデータを多重化して一つの伝送経路を通じて受信側に伝送し、現在サービスされることができない場合であるとＷＦＱ方式によるパケットスケジューリングを再遂行するようにすることを特徴とする。
【００２５】
【発明の実施の形態】
以下、添付の図面を参考して本発明による予想型／保障型サービスを提供するためのトラフィック制御方法を詳細に説明する。
【００２６】
図２は本発明による予想型／保障型サービスを提供するためのトラフィック制御方法を適用するためのブロック構成図であって多数の経路１〜経路ｎを通じて入力されるトラフィックデータ、パケットで構成されたパケットデータの平均伝送率を監視して各パケットデータに対する通過条件を満足する場合にのみパケットデータを伝送する多数の監察部１０−１〜１０−ｎと、前記監察部１０−１〜１０−ｎを通過したパケットデータを定められた原則によって通過順序を決定してやるパケットスケジューラ（Packet Scheduler）２０と、前記パケットスケジューラ２０によって選択されたパケットデータを多重化して一つの伝送経路を通じて受信側に伝送する多重化機３０とから構成される。
【００２７】
但し、予想型サービスを支援するための場合、ＱＯＳの適切な保障とともに資源利用の効率性を考慮しなければならないし、保障型サービスを支援するための場合、完璧なＱＯＳを満足させてやるためには各経路が他の経路から完璧に孤立されなければならないので、本発明においては厳格な（tight)呼−水準孤立機能と緩慢な（loose ）パケット−水準孤立機能を同時に支援するようにする。
【００２８】
ここで、厳格な呼水準孤立とは、同じ物理ライン（Physical Line)を共有する他の経路のトラフィック量に影響を受けず自分の平均伝送率を維持していくことができるようにしてやることを意味し、緩慢なパケット水準孤立とは、パケットが伝送されなければならない順序を余り重要視しないことを意味する。
【００２９】
前記呼−水準孤立は平均伝送率をどの位い充実に監視するかが関鍵であり、本発明においては前記監察部１０−１〜１０−ｎを通じてＭＣ技法を利用して呼−水準孤立を支援し、パケットスケジューラ２０からのＦｌＦＯ／ＷＦＱを利用して緩慢なパケット−水準孤立を支援するようにする。
【００３０】
前記パケットスケジューラー２０からは既に決定されたパケットデータの優先順位、即ちサービスされる時間の最大値により各パケットデータに割当されたウェイトを通じて監察部１０−１〜１０−ｎから伝送されたパケットデータを多重化機３０に出力して受信側にサービスを提供するようにする。
【００３１】
以下、本発明の実施例を図３と図４を参考として説明する。
【００３２】
まず、本発明から適用しているＭＣ技法はＡＴＭトラフィックコントロール技法からよく登場する監察またはＵＰＣ（Ushe Parameter Control) 技法の一種として、ＡＴＭセルにのみ局限されるものではなく、一般パケットに対しても適用可能なものである。
【００３３】
ＭＣ技法はトラフィックが初めに約束されたトラフィック特性のとおりに伝達されるかを監視してからそれを違反する場合、一部パケットを捨てるとかタグ（Tag)を付着するとか措置を取る。
【００３４】
ＭＣ技法は平均トラフィック伝送率を監視するのに、例えば１分に１０個のパケットが通過することが賦課されたトラフィック特性であるとするとき、任意の１分の間にパケットが５個のみ入って来たら平均より少なく入って来たので、次の１分の間には平均よりたくさん入って来ても許容してやり、これと反対に任意の１分の間にパケットがたくさん入って来る場合には次の１分の間に少なく入って来たことを許容してやる原理の技法である。
【００３５】
ここで、１分ということは一種のウィンドーとしてトラフィックを監視してから恰好のとおりに判定する時間間隔を指称する。
【００３６】
そして予想されたトラフィックより小さいとか、たくさん入って来た場合にそれを無限定勘案してやることができないので、一種のバッファーが存在するようになるが、即ちバッファーが５でとある場合であると平均より５個以上もっとたくさん入って来る場合にはその以上のパケットは捨てるようになる。
【００３７】
図３は本発明の第１実施例であって、予想型サービスを支援するための構造におけるパケットデータのトラフィック制御方法を図示したものである。
【００３８】
第１実施例におけるＦＩＦＯはどの経路にパケットが入って来るかに相関のなしに、まず入って来る順序のとおりに送る方式を指称する。
【００３９】
まず、監察部１０−１〜１０−ｎからはそれぞれの経路１〜経路ｎを通じて入力されるお互に異なるトラフィックデータ、即ちパケットデータで構成されるパケットデータの入力を受ける（Ｓ１）。
【００４０】
続いて、前記監察部１０−１〜１０−ｎからはＭＣ技法を利用して入力された各経路別のパケットデータの平均伝送率を監視する（Ｓ２）。
【００４１】
前記段階Ｓ２から一定期間の間の通過パケットデータ数を監視してＭＣ技法のパケットデータ通過条件に満足されるかを判断する（Ｓ３）。
【００４２】
前記段階Ｓ３から入力されるパケットデータがＭＣ技法の通過条件に満足される場合には０方式のパケットスケジューラ２０によって入力順序のとおりに出力順序を決定してやり（Ｓ４）、通過条件に満足されない場合には任意の貯蔵場所に余裕のあるかを判断して（Ｓ５）、余裕のあると各経路のパケットデータを臨時貯蔵した後に再び前記段階Ｓ３に復帰し、反面に貯蔵場所の余裕のないとパケットデータを捨てるようにする（Ｓ６）。
【００４３】
ここで、通過条件に満足されない場合、任意の貯蔵場所にパケットデータを臨時貯蔵することは今度のウィンドーにおいては伝送に失敗したので、次のウィンドーから再次試図するためのものである。
【００４４】
以後、前記段階Ｓ４からのＦＩＦＯによるパケットスケジューラ２０のパケットスケジューリングの遂行において、該当経路のパケットデータが現在サービスされることができるかを判断する（Ｓ７）。
【００４５】
前記段階Ｓ７から該当経路のパケットデータが現在サービスされることができる場合、入力された順序のとおりにパケットデータを多重化機３０に伝送して一つの伝送経路を通じてパケットデータを伝達し（Ｓ８）、そうじゃないと前記段階Ｓ４に復帰してＦＩＦＯによるパケットスケジューリングを再び遂行するようにする。
【００４６】
図４は本発明の第２実施例であって、保障型サービスを支援するための構造におけるパケットデータのトラフィック制御方法を図示したものである。
【００４７】
第２実施例におけるＷＦＯは各入力経路毎にウェイトを賦課し、そのウェイトにより通過パケット量を決定してやる方式を指称する。
【００４８】
まず、監察部１０−１〜１０−ｎからはそれぞれの経路１〜経路ｎを通じて入力されるお互に異なるトラフィックデータ、即ちパケットで構成されるパケットデータの入力を受ける（Ｓ１１）。
【００４９】
前記監察部１０−１〜１０−ｎからはＭＣ技法を利用して入力された各経路別のパケットデータの平均伝送率を監視する（Ｓ１２）。
【００５０】
前記段階Ｓ１２から一定期間の間の通過パケットデータ数を監視してＭＣ技法のパケットデータ通過条件に満足されるかを判断する（Ｓ１３）。
【００５１】
前記段階Ｓ１３から入力されるパケットデータがＭＣ技法の通過条件に満足される場合には各経路のパケットデータをパケットスケジューラ２０に伝送してＷＦＱ方式によるパケットスケジューラ２０のパケットスケジューリングを遂行するようにし（Ｓ１４）、通過条件に満足されない場合には任意の貯蔵場所に余裕のあるかを判断して（Ｓ１５）、余裕のあると各経路のパケットデータを臨時貯蔵した後に再び前記段階Ｓ１３に復帰し、反面に貯蔵場所の余裕のないとパケットデータを捨てるようにする（Ｓ１６）。
【００５２】
以後、前記段階Ｓ１４からのＷＦＱ方式によるパケットスケジューラ２０のパケットスケジューリングの遂行において、各入力経路に附課されたウェイト条件により、パケットデータが現在サービスされることができるかを判断する（Ｓ１７）。
【００５３】
前記段階Ｓ１７からパケットスケジューラ２０に伝送されるパケットデータが現在サービスされることができる場合であるとパケットデータを多重化機３０に伝送して一つの伝送経路を通じてパケットデータを伝送するようにし（Ｓ１８）、そうじゃないと前記段階Ｓ１４に復帰してＷＦＱ方式によるパケットスケジューリングを再び遂行するようにする。
【００５４】
前記第１、第２実施例からＭＣ技法のパケットデータ通過条件とは、ＭＣ技法がウィンドー概念として運用されるので、各ウィンドー毎に通過可能に許容された個数をＡであるとし、以前ウィンドーのヒストリー（History ：現在まで伝送されたトラフィック量）によって貯蔵された数（即ち、以前に少なく入って来た場合）をＢであるとし、以前ヒストリーによって予め借用して使用した数（即ち、いままで平均より過多に通過した場合）をＣであるとし、変動を減殺してやるためのバッファーの大きさをＤであると仮定するとき、新たなウィンドーｗが始作されて現在ａ個のパケットが通過されたし、新たなパケットがきたとき、それが通過されるためには以前ウィンドーまで平均よりＢ程少なく入って来た場合にＡ＋Ｂ＋Ｄ−ａ＞Ｏであるとき通過、以前ウィンドーまで平均よりＣ程たくさん入って来た場合にＡ−Ｃ＋Ｄ−ａ＞０であるとき通過されることを指称する。
【００５５】
一方、本発明におけるＦＩＦＯとＷＦＯはマルチプレクサーから入力パケットの通過順序を定めてやるスケジューラ中に包含されている。
【００５６】
【発明の効果】
以上の説明のような本発明は厳格な呼−水準孤立を支援するＭＣ技法を利用した監察機能と緩慢なパケット−水準孤立を支援するＦＩＦＯ方式またはＷＦＯ方式を利用したパケットスケジューリング機能を同時に使用することによって各種トラフィックデータの伝送経路を制御して予想型／保障型サービスを効果的に支援することができ、特にＭＣ技法を利用することによりパケットデータの処理時間を短縮させることができる効果がある。
【図面の簡単な説明】
【図１】従来セルトラフィック制御を遂行するための構成を図示した図面である。
【図２】本発明による予想型／保障型サービスを提供するためのトラフィック制御方法を適用するためのブロック構成図である。
【図３】本発明による予想型サービスを提供するためのトラフィック制御方法を図示した流れ図である。
【図４】本発明による保障型サービスを提供するためのトラフィック制御方法を図示した流れ図である。
【符号の説明】
１０−１〜１０−ｎ：監察部
２０：パケットスケジューラ
３０：多重化機
【図１】
0003927714.tif 000002
【図２】
0003927714.tif 000003
【図３】
0003927714.tif 000004
【図４】
0003927714.tif 000005